(57)【要約】【課題】　取付や取外の作業容易化と、相手側部材への取付孔の形成容易化とを図る。【解決手段】　本体部２及び凸部５が遊技盤２１に前後方向に直線的な孔として形成された取付孔２２に挿入されると、凸部５が取付孔２２と本体部２との間で圧縮されるように撓みつつ取付孔２２の壁面を介して遊技盤２１に突っ張るように係合し、変動入賞口装置１が遊技盤２１に取付孔２２を介して取付けられ、フランジ４を止ねじで遊技盤２１に締結することは省くことができ、フランジ４が取付孔２２周りの遊技盤２１の前面を覆い、本体部２と取付孔２２との間の隙間は遊技盤２１の前側から見えなくなり、見栄えもよくなる一方、取付孔２２が遊技盤２１に前後方向に直線的な孔として形成されたので、取付孔２２を容易に形成することができる。【選択図】　　　　図１
2004008825.tif 000002
【特許請求の範囲】
【請求項１】
　相手側部材に形成された取付孔に相手側部材の前側から裏側に挿入される本体部と、本体部の一端部の全周に本体部の取付孔への挿入方向と交差する外側に突出したフランジとを備えた遊技部品において、本体部が相手側部材の厚さよりも大きな寸法に形成されたフランジからの奥行きを有し、本体部が相手側部材の前側から取付孔に挿入された場合、フランジが相手側部材の前面に接触し、本体部の下部が取付孔に接触し、本体部の上部と取付孔との間に隙間が形成され、この隙間における本体部の取付孔に対向する部分と相手側部材より裏側に突出した部分とにわたり弾性変形可能な凸部が設けられ、本体部が相手側部材の取付孔に挿入される以前における本体部の下面から凸部の上面までの縦方向寸法は取付孔の縦方向寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられる一方、取付孔が相手側部材の前後方向に直線的に貫通した孔として形成されたことを特徴とする遊技部品。
【請求項２】
　本体部が相手側部材の前側から取付孔に挿入されることによって本体部の左右側面と取付孔との間に隙間が形成され、この隙間における本体部の取付孔に対向する部分と相手側部材より裏側に突出した部分とにわたり弾性変形可能な凸部が設けられる一方、本体部が相手側部材の取付孔に挿入される以前における左の凸部の左側面から右の凸部の右側面までの横寸法は取付孔の横寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられることを特徴とする請求項１記載の遊技部品。
【請求項３】
　凸部が相手側部材の取付孔に挿入される方向に延長して本体部のリブも兼ねる形状であることを特徴とする請求項１または請求項２記載の遊技部品。
【発明の詳細な説明】
【技術分野】
【０００１】
　本発明は遊技枠体や遊技盤等の相手側部材に取付けられる遊技部品に関する。
【背景技術】
【０００２】
　従来、相手側部材に取付けられる合成樹脂からなる遊技部品がフックを有する係合片やボルト又はナットで固定されている。
【特許文献１】実用新案登録第２５６９７９７号公報
【発明の開示】
【発明が解決しようとする課題】
【０００３】
　前記従来のような係合片による取付の場合には合成樹脂形成用型の構造が複雑となる。又、ボルトやナット等のねじによる取付の場合には取付又は取外の作業が面倒である。
【課題を解決するための手段】
【０００４】
　本発明は、相手側部材に形成された取付孔に相手側部材の前側から裏側に挿入される本体部と、本体部の一端部の全周に本体部の取付孔への挿入方向と交差する外側に突出したフランジとを備えた遊技部品において、本体部が相手側部材の厚さよりも大きな寸法に形成されたフランジからの奥行きを有し、本体部が相手側部材の前側から取付孔に挿入された場合、フランジが相手側部材の前面に接触し、本体部の下部が取付孔に接触し、本体部の上部と取付孔との間に隙間が形成され、この隙間における本体部の取付孔に対向する部分と相手側部材より裏側に突出した部分とにわたり弾性変形可能な凸部が設けられ、本体部が相手側部材の取付孔に挿入される以前における本体部の下面から凸部の上面までの縦方向寸法は取付孔の縦方向寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられる一方、取付孔が相手側部材の前後方向に直線的に貫通した孔として形成されたことによって、取付や取外の作業容易化と、相手側部材への取付孔の形成容易化とを最も主要な特徴とする。本発明にあっては、本体部が相手側部材の前側から取付孔に挿入されることによって本体部の左右側面と取付孔との間に隙間が形成され、この隙間における本体部の取付孔に対向する部分と相手側部材より裏側に突出した部分とにわたり弾性変形可能な凸部が設けられる一方、本体部が相手側部材の取付孔に挿入される以前における左の凸部の左側面から右の凸部の右側面までの横寸法は取付孔の横寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられたり、凸部が相手側部材の取付孔に挿入される方向に延長して本体部のリブも兼ねる形状であったり、凸部が相手側部材の取付孔に挿入される方向に延長した筒状であったり、筒状が溝により割れていたり、凸部が弧状のリブであったり、相手側部材の取付孔内面に係合部を設け、この係合部に嵌め込まれる切欠部を凸部に設けたり、凸部の先端が傾斜面に形成されたり、フランジと凸部との連接部に切欠部を設けたり、相手側部材に取付孔の壁面より凹部を凸部と対向する位置に設け、遊技部品が相手側部材に取付けられる際に、凸部が弾性変形しつつ凹部に嵌め込まれる形態であってもよい。
【発明の効果】
【０００５】
　本発明は、本体部の上部に設けられた凸部が本体部と取付孔との間の隙間で弾性変形し、その弾性変形した凸部の弾性作用により本体部の下部と取付孔との下部とが互いに接触し、その接触を基準として遊技部品が相手側部材に取付けられることによって、凸部が本体部に形成されているので構造の剛性が高くなる。又、本体部が取付孔に挿入されることにより、凸部が取付孔の壁面と本体部との間で弾性変形し、凸部が取付孔の壁面を介して相手側部材に突っ張るように係合するので、遊技部品の相手側部材への取付に際してボルトやナット等を省くことができ、取付や取外の作業容易化が図れる一方、取付孔が相手側部材の前後方向に貫通する孔として形成されたことによって、取付孔が口径の小さい穴と口径の大きな孔とが同軸に連接された形態となった場合に比べ、取付孔を相手側部材に形成する作業容易化が図れる。又、本発明にあっては、本体部が相手側部材の前側から取付孔に挿入されることによって本体部の左右側面と取付孔との間に隙間が形成され、この隙間における本体部の取付孔に対向する部分と相手側部材より裏側に突出した部分とにわたり弾性変形可能な凸部が設けられる一方、本体部が相手側部材の取付孔に挿入される以前における左の凸部の左側面から右の凸部の右側面までの横寸法は取付孔の横寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられれば、凸部が左右に増加したことで、膨出部による支持力が高くなる。又、本発明にあっては、凸部が相手側部材の取付孔に挿入される方向に延長して本体部のリブも兼ねる形状であれば、凸部の挿入力が小さく、凸部の保持力が大きくなる。又、本発明にあっては、凸部が相手側部材の取付孔に挿入される方向に延長した筒状であれば、凸部の挿入力が一層小さくなり、凸部の保持力が一層大きくなる。又、本発明にあっては、筒状が溝により割れていれば、凸部の割れた部分が取付孔の壁面を介して相手側部材に食付き、保持力が高くなる。又、本発明にあっては、凸部が弧状のリブであれば、本体部と取付孔との間の隙間が狭くても凸部が適切に形成できる。又、本発明にあっては、相手側部材の取付孔内面に係合部を設け、この係合部に嵌め込まれる切欠部を凸部に設ければ、係合部と切欠部との嵌め合いにより、凸部の挿入力と保持力との双方を軽減できる。又、本発明にあっては、凸部の先端が傾斜面に形成されれば、傾斜面が凸部の取付孔への挿入案内となり、取付作業が良くなる。又、本発明にあっては、フランジと凸部との連接部に切欠部を設ければ、凸部の保持力の範囲設定が大きくなる。又、本発明にあっては、相手側部材に取付孔の壁面より凹部を凸部と対向する位置に設け、遊技部品が相手側部材に取付けられる際に、凸部が弾性変形しつつ凹部に嵌め込まれれば、凸部が凹部との嵌め合いで位置決め手段となり、相手側部材に対する遊技部品の取付位置が一層正確となる。
【発明を実施するための最良の形態】
【０００６】
　図１〜図３は本発明の第１実施形態であって、図１は遊技部品としての変動入賞口装置１と相手側部材としての遊技盤２１とを分解して示し、図２は変動入賞口装置１を裏側より見た外観を示し、図３は変動入賞口装置１が遊技盤２１に取付けられた断面を示す。変動入賞口装置１はアタッカ又は大入賞口装置と呼ばれることがある。
【０００７】
　図１及び図２を参照し、変動入賞口装置１と遊技盤２１とについて説明する。変動入賞口装置１は、前方開放状の箱型の本体部２と、本体部２の一端部である前側開口部３より外側に突出したフランジ４と、本体部２の外周面より突出した弾性変形可能な筒状の凸部５とを備える。凸部５は本体部２の上面及び左右側面に設けられる。凸部５の先端は傾斜面６に形成される。本体部２の裏面には排出孔７が形成される。本体部２の底面２ａは前側開口部３より排出孔７に球が流下する傾斜面となっている。本体部２には開閉体８が下部を回転中心として上下方向に開閉可能に取付けられる。開閉体８は本体部２の裏面側に配置される図外の電磁ソレノイドのようなアクチュエータにより開閉駆動されることにより本体部２の前側開口部３を開閉する。
【０００８】
　開閉体８が本体部２の前側開口部３を閉じると、球は本体部２の内部に入賞することはできないが、開閉体８が図示のように前傾状に開くと、遊技盤２１の前面を流下する球が開閉体８で受止められた後に前側開口部３側へと誘導されて本体部２に入賞する。本体部２に入賞した球は本体部２の排出孔７より遊技盤２１の裏面側に排出される。フランジ４の前面には複数の入賞口９が前側開口部３の左右に設けられる。入賞口９の内部に位置するフランジ４には排出孔１０が形成される。排出孔１０の周縁にはガイド１１がフランジ４の裏面側に延設される。
【０００９】
　遊技盤２１の前面は図柄等の描かれた化粧面として形成されており、遊技盤２１には、前後方向に貫通する取付孔２２と、取付孔２２の左右で前後方向に貫通する複数の逃部２２ａが形成される。取付孔２２は本体部２より一回り大きな四角形であって、本体部２が取付孔２２に前側より裏側に挿入されることにより、凸部５が弾性変形して取付孔２２の壁面に接触し、ガイド１１が逃部２２ａに取込まれる。遊技盤２１の前面を流下する球が入賞口９に入賞すると、当該球は排出孔１０よりガイド１１を経由して遊技盤２１の裏面側に排出される。第１実施形態の場合、本体部２と入賞口９とが互いに近づいた配置であることから、取付孔２２と逃部２２ａとが互いに連接された形態となっている。図２に示す左の凸部５の左側面から右の凸部５の右側面までの横寸法Ｄ１は図１に示す取付孔２２の横方向寸法Ｄ２よりも大きい（Ｄ１＞Ｄ２）。
【００１０】
　図３の（ａ）図において、本体部２の奥行きＬ１は遊技盤２１の取付孔２２の周りの厚さＬ２よりも大きく（Ｌ１＞Ｌ２）、本体部２の下面から凸部５の上面までの縦方向寸法Ｈ１は取付孔２２の縦方向寸法Ｈ２よりも大きい（Ｈ１＞Ｈ２）。
【００１１】
　よって、図３の（ｂ）図に示すように、変動入賞口装置１が遊技盤２１に取付けられる場合、本体部２の下面の挿入方向先端部が遊技盤２１の前側より取付孔２２の下側の壁面に搭載された状態において、本体部２の上側が遊技盤２１の側に近づけるように、本体部２の姿勢を起しながら、本体部２が遊技盤２１の前側より取付孔２２に挿入され、凸部５の傾斜面６が遊技盤２１の前面と取付孔２２とよりなる隅部に誘導され、凸部５が取付孔２２の壁面より受ける押圧力で撓みつつ、上側の凸部５の上面が取付孔２２の上側の壁面に接触し、左右側の凸部５の左右側面が取付孔２２の左右側の壁面に接触し、本体部２の下面が取付孔２２の下側の壁面に接触したまま、本体部２及び凸部５が取付孔２２に取込まれる。この取付孔２２の内部における凸部５は取付孔２２の壁面を介して遊技盤２１に突っ張るように係合する。
【００１２】
　そして、本体部２の裏面側及び凸部５の裏面側が取付孔２２より遊技盤２１の裏面側に突出することにより、凸部５の裏面側が弾性的に復元して膨出部５ａとして形成され、膨出部５ａが取付孔２２周りの遊技盤２１の裏面に係合する。これと並行し、フランジ４の裏面が遊技盤２１の前面に接触する。結果として、膨出部５ａとフランジ４とが遊技盤２１を前後で挟み付ける形態となり、変動入賞口装置１が遊技盤２１に取付孔２２を介して取付けられ、フランジ４を止ねじで遊技盤２１に締結することは省くことができる。又、変動入賞口装置１が遊技盤２１に取付孔２２を介して取付けられた状態において、フランジ４が取付孔２２周りの遊技盤２１の前面を覆い、本体部２と取付孔２２との間の隙間は遊技盤２１の前側より見えなくなり、見栄えも良い。
【００１３】
　又、凸部５が遊技盤２１の取付孔２２に挿入される方向に延長しているので、凸部５が本体部２のリブも兼ねることとなり、本体部２の強度が向上する。凸部５が筒状であるので、凸部５の軽量化が図れる。又、図３の（ｂ）図に示すように、本体部２の上部及び左右部に設けられた凸部５が本体部２と取付孔２２との間の隙間で弾性変形し、その弾性変形した凸部５の弾性作用により本体部２の下部と取付孔２２の下部とが互いに接触して基準Ｐとなって、変動入賞口装置１が遊技盤２１に取付けられた形態となる。よって、基準Ｐにより変動入賞口装置１の遊技盤２１に対する上下の位置が正確に決まり、変動入賞口装置１よりも上部の遊技盤２１に設けられた釘Ｋと変動入賞口装置１の入賞口との上下方向の位置関係が正確となる。上記釘Ｋは変動入賞口装置１の入賞口に球を誘導するための命釘と呼ばれるものである。又、釘Ｋで誘導された球が変動入賞口装置１の開いた開閉体８やそれ以外の部分に衝突しても、上記基準Ｐの存在により、変動入賞口装置１が上下に移動するような不都合も防止できる。
【００１４】
　図４及び図５は本発明の第２実施形態であって、図４は変動入賞口装置１を裏側より見た外観を示し、図５は変動入賞口装置１が遊技盤２１に取付けられた断面を示す。図４に示すように、凸部５のフランジ４との連接部分には切欠部１２が形成される。そして、図５に示すように、本体部２が取付孔２２に遊技盤２１の前側より裏面側に向けて挿入され、フランジ４と膨出部５ａとが遊技盤２１を前後で挟み付けて、変動入賞口装置１が遊技盤２１に取付孔２２を介して取付けられる過程において、切欠部１２が取付孔２２の壁面での擦れによる凸部５のフランジ４の側での盛上がりを取込んで吸収することにより、当該凸部５の盛上がりがフランジ４の裏面と取付孔２２周りの遊技盤２１の前面との間に挟み込まれることがなく、フランジ４の裏面が遊技盤２１の前面に隙間を形成することなく接触し、変動入賞口装置１の遊技盤２１への取付形態の見栄えが良くなる。
【００１５】
　図６は本発明の第３実施形態に係る変動入賞口装置１が遊技盤２１に取付けられた断面を示す。第３実施形態では、変動入賞口装置１を合成樹脂成形する場合において、成形型を前後に分割し、フランジ４を形成する側の型に切欠部１２を形成するための凸部を設けておき、この凸部を有するフランジ４の前側に開型するようにすれば、型構造は簡単であるが、上記開型過程において、凸部がフランジ４の裏側より前側に引抜かれることにより、成形跡としての貫通孔１３がフランジ４に残る。よって、フランジ４の前面にシート状の化粧部材１４を接着剤や粘着剤で取付けることにより、化粧部材１４で貫通孔１３を目隠しすれば見栄えが良くなる。
【００１６】
　図７は本発明の第４実施形態に係る変動入賞口装置１が遊技盤２１に取付けられた断面を示す。第４実施形態では、第２実施形態の切欠部１２に代えて、遊技盤２１の裏面と取付孔２２との隅部に凹部２３を形成し、凹部２３が取付孔２２の壁面での擦れによる凸部５のフランジ４の側での盛上がりを取込んで吸収するようにしたものである。
【００１７】
　図８は本発明の第５実施形態に係る変動入賞口装置１が遊技盤２１に取付けられた断面を示す。第５実施形態では、第２実施形態の切欠部１２を遊技盤２１に係合するために利用するものであって、遊技盤２１に係合部２４を取付孔２２の内部に突出するように形成し、本体部２が取付孔２２に遊技盤２１の前側より裏面側に向けて挿入され、フランジ４と膨出部５ａとが遊技盤２１を前後で挟み付けて、変動入賞口装置１が遊技盤２１に取付孔２２を介して取付けられる過程において、係合部２４が切欠部１２に取込まれ、係合部２４が切欠部１２の後部側面に係合し、変動入賞口装置１の遊技盤２１への取付が一層強固となる。
【００１８】
　図９及び図１０は本発明の第６実施形態であって、図９は変動入賞口装置１を裏側より見た外観を示し、図１０は変動入賞口装置１が遊技盤２１に取付けられた断面を示す。図９に示すように、凸部５の外側面には位置決部１５が突設される。又、図１０に示すように遊技盤２１には取付孔２２より取付孔２２の径方向外側に窪む受部２５が形成される。そして、本体部２が取付孔２２に遊技盤２１の前側より裏面側に向けて挿入され、フランジ４と膨出部５ａとが遊技盤２１を前後で挟み付けて、変動入賞口装置１が遊技盤２１に取付孔２２を介して取付けられる過程において、位置決部１５が受部２５に嵌め込まれる。
【産業上の利用可能性】
【００１９】
　前記各実施形態では凸部５を筒状に形成したが、図１１に示すように筒状以外の各種の形状でも同様に適用できる。図１１の（ａ）図では凸部５１が溝１６で周方向に分割されたことにより、遊技盤２１と凸部５１との接触部分での食付き性が向上する。図１１の（ｂ）図では凸部５２が弧状のリブのように形成されたことより、凸部５２が撓みやすくなり、凸部５２が取付孔２２に挿入されるときの力が少なくなる。図１１の（ｃ）図では凸部５３が蛇行状のリブのように形成されたことにより、凸部５２に比べて、凸部５３の弾性が向上する。図１１の（ｄ）図では凸部５４が柱状に形成されたことにより、凸部５；５１〜５３に比べて、凸部５４の取付孔２２への挿入力は多少大きくなるが、凸部５４の支持力が向上する。図１１の（ｅ）図では凸部５５が本体部２とは摩擦や弾性の異なる合成樹脂やゴムにより別に形成され、この別体の凸部５５がインサート成形により本体部２に組付けられるか又は嵌め込みにより本体部２に取付けられることにより、遊技盤２１に対する凸部５５の摩擦による支持力や弾性による支持力を変えることができる。
【００２０】
　又、図示は省略するが、遊技盤２１に取付孔２２の壁面より凹部を凸部５と対応する位置に設け、変動入賞口装置１が遊技盤２１に取付けられる際に、凸部５が弾性変形しつつ凹部に嵌め込まれることにより、凸部５を位置決め手段として用いれば、遊技盤２１に対する変動入賞口装置１の取付位置が一層正確となる。
【００２１】
　前記各実施形態では遊技部品として変動入賞口装置１を例示したが、それ以外の入賞口装置、サイドランプ装置、賞球ランプ装置、ストップランプ装置、前飾り等の遊技部品でも良い。又、相手側部材としては遊技盤２１を例示したが、遊技盤２１を組付けるための枠体でも良い。
【図面の簡単な説明】
【００２２】
【図１】本発明の第１実施形態を示す分解斜視図。
【図２】同第１実施形態の変動入賞口装置を示す斜視図。
【図３】同第１実施形態の取付構造を示す断面図。
【図４】本発明の第２実施形態の変動入賞口装置を示す斜視図。
【図５】同第２実施形態の取付構造を示す断面図。
【図６】本発明の第３実施形態の取付構造を示す断面図。
【図７】本発明の第４実施形態の取付構造を示す断面図。
【図８】本発明の第５実施形態の取付構造を示す断面図。
【図９】本発明の第６実施形態の変動入賞口装置を示す斜視図。
【図１０】同第６実施形態の取付構造を示す断面図。
【図１１】本発明の第７実施形態の各凸部を示す摸式図。
【符号の説明】
【００２３】
１　変動入賞口装置（遊技部品）、２　本体部、４　フランジ、
５；５１〜５５　凸部、６　傾斜面、１２　切欠部、１５　位置決部、
２１　遊技盤（相手側部材）、２２　取付孔、２４　係合部、２５　受部。
【図１】
2004008825.tif 000003
【図２】
2004008825.tif 000004
【図３】
2004008825.tif 000005
【図４】
2004008825.tif 000006
【図５】
2004008825.tif 000007
【図６】
2004008825.tif 000008
【図７】
2004008825.tif 000009
【図８】
2004008825.tif 000010
【図９】
2004008825.tif 000011
【図１０】
2004008825.tif 000012
【図１１】
2004008825.tif 000013